(57)【要約】【課題】小型・軽量で光の利用効率が高く、モジュール化されて面状の光源として利用可能なヘッドアップディスプレイ装置とその光源装置を提供する。【解決手段】少なくとも、光を発生する半導体光源素子と、前記半導体光源素子からの出射光に所定の処理を行う光学素子と、前記半導体光源素子と前記光学素子との間に配置され、前記半導体光源素子からの出射光を入射する光入射部と、前記光学素子に対して、前記半導体光源素子から入射した光を出射する光出射部とを備えた導光体とを備えた光源装置であって、前記導光体の前記光入射部は、前記光学素子の光入射部に対応した形状を有している。【選択図】図６
2018060006.tif 000002
【特許請求の範囲】
【請求項１】
車両のウインドシールド、または、その直前に設けられたコンバイナ上に映像光を投射し、その反射光により得られる虚像によって画像を運転者に提供するヘッドアップディスプレイ装置であって、
光源装置を備え、かつ、前記光源装置から投射される光により映像光を生成する映像表示装置と、
前記映像表示装置からの映像光を反射して前記ウインドシールド、または、前記コンバイナ上に投射する凹面ミラーと、を備え、
前記映像表示装置を構成する前記光源装置は、少なくとも、
光を発生する半導体光源素子と、
前記半導体光源素子からの出射光を前記映像光に変換する光学装置と、
前記半導体光源素子と前記光学装置との間に配置され、前記半導体光源素子からの出射光を入射する光入射部と、前記半導体光源素子から入射した光を前記光学装置に対して出射する光出射部とを備えた導光体とを備えており、
前記導光体の前記光出射部は、前記光学装置の光入射部に対応した形状を有している、ヘッドアップディスプレイ装置。
【請求項２】
請求項１に記載のヘッドアップディスプレイ装置において、
前記光源装置を構成する前記導光体の前記光入射部は、前記光出射部とは異なる形状または面積を有している、ヘッドアップディスプレイ装置。
【請求項３】
請求項２に記載のヘッドアップディスプレイ装置において、
前記光源装置を構成する前記導光体の前記光入射部の面積は、前記光出射部の面積よりも小さい、ヘッドアップディスプレイ装置。
【請求項４】
請求項１に記載のヘッドアップディスプレイ装置において、
前記光源装置を構成する前記導光体は、前記光入射部を複数備えている、ヘッドアップディスプレイ装置。
【請求項５】
請求項１に記載のヘッドアップディスプレイ装置において、
表示虚像の横方向に相当する方向の配光角度が広い光源装置を備える、ヘッドアップディスプレイ装置。
【請求項６】
請求項１に記載のヘッドアップディスプレイ装置において、
前記光源装置を構成する前記導光体の前記光入射部と前記光出射部が形成された面の少なくとも一方に機能性散乱面を形成している、ヘッドアップディスプレイ装置。
【請求項７】
請求項１に記載のヘッドアップディスプレイ装置において、
前記光源装置を構成する前記導光体の前記光入射部と前記光出射部が形成された面以外の面に、反射面を形成した、ヘッドアップディスプレイ装置。
【請求項８】
請求項７に記載のヘッドアップディスプレイ装置において、
前記光源装置を構成する前記反射面には、平行な拡散光に対して臨界角以上の角度となる反射面と連接面を交互に鋸歯状に形成した反射面が形成されている、ヘッドアップディスプレイ装置。
【請求項９】
請求項７に記載のヘッドアップディスプレイ装置において、
前記光源装置を構成する前記反射面には、反射膜が形成されている、ヘッドアップディスプレイ装置。
【請求項１０】
請求項１に記載したヘッドアップディスプレイ装置において、
前記光源装置を構成する前記導光体を、複数個、前記光出射部が同一面になるように配置した、ヘッドアップディスプレイ装置。
【請求項１１】
少なくとも、光を発生する半導体光源素子と、
前記半導体光源素子からの出射光に所定の処理を行う光学素子と、
前記半導体光源素子と前記光学素子との間に配置され、前記半導体光源素子からの出射光を入射する光入射部、および前記光学素子に対して、前記半導体光源素子から入射した光を出射する光出射部を備えた導光体と、を備えた光源装置であって、
前記導光体の前記光出射部は、前記光学素子の光入射部に対応した形状を有している、光源装置。
【請求項１２】
請求項１１に記載の光源装置において、
前記導光体の前記光入射部は、前記光出射部とは異なる形状または面積を有している、光源装置。
【請求項１３】
請求項１２に記載の光源装置において、
前記導光体の前記光入射部の面積は、前記光出射部の面積よりも小さい、光源装置。
【請求項１４】
請求項１１に記載の光源装置において、
前記導光体は、前記光入射部を複数備えている、光源装置。
【請求項１５】
請求項１１に記載の光源装置において、
一方向の配向角がその直交方向の配向角より広い、光源装置。
【請求項１６】
請求項１１に記載の光源装置において、
前記導光体の前記光入射部と前記光出射部が形成された面の少なくとも一方に機能性散乱面を形成している、光源装置。
【請求項１７】
請求項１６に記載の光源装置において、
前記機能性散乱面の面粗さの空間周波数成分は、１００／ｍｍ以上の高周波領域で１０ｎｍ以下である導光体を具備する、光源装置。
【請求項１８】
請求項１７に記載の光源装置において、
一方向の配向角がその直交方向の配向角より広い、光源装置。
【請求項１９】
請求項１１に記載の光源装置において、
前記光源装置を構成する前記導光体の入射光および出射光に平行な面で形成される断面における前記光入射部の曲率は、中央部より、上端、下端部方が大きい、光源装置。
【請求項２０】
請求項１１に記載の光源装置において、
前記光源装置を構成する前記導光体の入射部と出射部の連接部分は、導光体の厚みが薄くなる方向に切り欠いた形状である、光源装置。
【請求項２１】
請求項１１に記載の光源装置において、
前記導光体の前記光入射部と前記光出射部が形成された面以外の面に、反射面を形成した、光源装置。
【請求項２２】
請求項２１に記載の光源装置において、
前記反射面には、平行な拡散光に対して臨界角以上の角度となる反射面と連接面を交互に鋸歯状に形成した反射面が形成されている、光源装置。
【請求項２３】
請求項２１に記載の光源装置において、
前記反射面には、反射膜が形成されている、光源装置。
【請求項２４】
請求項１１に記載の光源装置において、
前記導光体を、複数個、前記光出射部が同一面になるように配置した、光源装置。
【発明の詳細な説明】
【技術分野】
【０００１】
本発明は、ヘッドアップディスプレイ装置に関し、特に、当該ヘッドアップディスプレイ装置への利用に適した、固体発光素子を利用した面状の光源として利用可能な光源装置に関する。
【背景技術】
【０００２】
近年におけるＬＥＤ等の固体発光素子の著しい発展に伴って、当該固体発光素子を光源として利用した照明装置は、小型・軽量で、かつ、低消費電力で環境保護にも優れた長寿命な光源として、各種の照明器具において広く利用されてきている。
【０００３】
従来、例えば、以下の特許文献によれば、プロジェクタ用の光源装置として、シンプルな構成の半導体光源装置であって、効率よく半導体発光素子を冷却して明るく発光する半導体素子光源装置が既に知られている。
【先行技術文献】
【特許文献】
【０００４】
【特許文献１】特開２０１６-３３６６８号公報
【発明の概要】
【発明が解決しようとする課題】
【０００５】
しかしながら、上述した従来技術（特許文献１）において開示された半導体光源装置では、主に、半導体発光素子を効率よく冷却することにより、当該素子がショートして機能しなくなることを防止し、もって、効率よくかつ明るく発光する半導体素子光源装置を提供するものであり、半導体素子からの発光は、当該素子に対向して設けられた単数または複数のレンズを利用して集光する構成であった。そのため、従来技術では、半導体光源であるＬＥＤによる発光効率の向上を可能とするものの、しかしながら、発光光を十分に集光して利用することは難しく、特に、高い光量の発光性能が求められるプロジェクタや、更には、ヘッドアップディスプレイ（Head Up Display：以下、「ＨＵＤ」）装置や車両用のヘッドランプ装置等においては、その光利用効率特性や均一照明特性において、未だ不十分であり、種々の改善の余地が存在していた。
【０００６】
そこで、本発明は、小型・軽量であり、発光光の利用効率が高いヘッドアップディスプレイ装置と光源装置を提供することを目的とする。
【課題を解決するための手段】
【０００７】
上記の目的を達成するための一実施の態様として、本発明によれば、車両のウインドシールド、または、その直前に設けられたコンバイナ上に映像光を投射し、その反射光により得られる虚像によって画像を運転者に提供するヘッドアップディスプレイ装置であって、光源装置を備え、かつ、前記光源装置から投射される光により映像光を生成する映像表示装置と、前記映像表示装置からの映像光を反射して前記ウインドシールド、または、前記コンバイナ上に投射する凹面ミラーとを備えるものにおいて、前記映像表示装置を構成する前記光源装置は、少なくとも、光を発生する半導体光源素子と、前記半導体光源素子からの出射光を前記映像光に変換する光学装置と、前記半導体光源素子と前記光学装置との間に配置され、前記半導体光源素子からの出射光を入射する光入射部と、前記半導体光源素子から入射した光を前記光学装置に対して出射する光出射部とを備えた導光体を備えており、前記導光体の前記光出射部は、前記光学装置の光入射部に対応した形状を有しているヘッドアップディスプレイ装置が提供される。
【０００８】
また、上記の目的を達成するための他の実施の態様として、少なくとも、光を発生する半導体光源素子と、前記半導体光源素子からの出射光に所定の処理を行う光学素子と、前記半導体光源素子と前記光学素子との間に配置され、前記半導体光源素子からの出射光を入射する光入射部と、前記光学素子に対して、前記半導体光源素子から入射した光を出射する光出射部とを備えた導光体とを備えた光源装置であって、前記導光体の前記光出射部は、前記光学素子の光入射部に対応した形状を有している光源装置が提供される。
【発明の効果】
【０００９】
本発明によれば、小型・軽量であり、発光光の利用効率が高いヘッドアップディスプレイ装置と光源装置が提供されるという優れた効果が発揮される。
【図面の簡単な説明】
【００１０】
【図１】本発明の実施例に係る光源装置を適用した一例として、映像表示装置を含むヘッドアップディスプレイ装置の全体概観を示す展開斜視図である。
【図２】映像表示装置の内部構成の概観を示す展開斜視図である。
【図３】光源装置の内部構成の一例を示す斜視図である。
【図４】光源装置を構成するコリメータと偏光変換素子の構成と動作を示す一部拡大断面図である。
【図５】コリメータと偏光変換素子の構成の比較例を示す一部拡大断面図である。
【図６】光源装置の内部構成の他の構成例を示す斜視図である。
【図７】光源装置の合成拡散ブロックを示す側面図とその一部を拡大した一部拡大断面図である。
【図８】光源装置を構成する導光体の詳細を示す全体斜視図、その断面図、断面の詳細を示す一部拡大断面図である。
【図９】導光体の説明のために反射面と連接面を拡大して示す模式図である。
【図１０】導光体の説明のために反射面と連接面を拡大して示す上面および側面図である。
【図１１】導光体の比較例を示す側面図である。
【図１２】導光体の変形例を示す側面図である。
【図１３】導光体の他の変形例を示す側面図である。
【図１４】導光体の更に他の変形例を示す側面図である。
【図１５】機能性散乱面を利用した導光体の変形例を示す側面図である。
【図１６】機能性散乱面について説明する特性曲線を含む図である。
【図１７】機能性散乱面による効果を説明するための図である。
【図１８】導光体の加工の一例を説明するための図である。
【図１９】光源装置を適用した映像表示装置の他の例を示す映像表示装置の全体外観斜視図である。
【図２０】より大きな液晶表示装置用の導光体の変形例を示す上面および側面図である。
【図２１】上記図２０の導光体の変形例を示す側面図である。
【図２２】導光体の入射面または出射面に形成したテクスチャーの具体例を示す上面図である。
【図２３】導光体を組み合わせたより大型の光源装置の構成の一例を示す全体側面図である。
【図２４】複数の光入射部を備えた導光体からなる光源装置の構成の一例を示す全体側面図である。
【図２５】導光体を偏光変換素子により形成した構成の一例を示す上面および側面図である。
【発明を実施するための形態】
【００１１】
以下、本発明の実施の形態について、図面を参照しながら詳細に説明する。なお、実施の形態を説明するための全図において、同一部には原則として同一の符号を付し、その繰り返しの説明は省略する。一方で、ある図において符号を付して説明した部位について、他の図の説明の際に再度の図示はしないが同一の符号を付して言及する場合がある。
【００１２】
図１は、以下に詳述する本発明の実施例に係る光源装置を、一例として、ヘッドアップディスプレイ（ＨＵＤ）装置１に適用した例を示す展開斜視図である。本発明の実施例に係る光源装置を含む映像表示装置３０は、その筐体である外装ケース１５５の一部に取り付けられ、当該ケースの内部には、凹面ミラー１４１および歪み補正レンズ１４３等が収納されている。そして、上部外装ケース１５１の上面には、映像光がウインドシールド（図示せず）に向かって投射される開口部が形成されており、当該開口部は防眩板１５２（グレアトラップ）によって覆われている。また、図中の符号１４２は、上記凹面ミラー１４１の位置を調整するための電動モータなどにより構成される凹面ミラー駆動部を示している。
【００１３】
かかる構成のＨＵＤ装置１では、上記の映像表示装置３０から出射した映像光は、ここでは図示しない表示距離調整機構やミラー駆動部などを介して車両のウインドシールドに投射されることは、当業者であれば明らかであろう。また、凹面ミラー１４１の角度を調整することで、映像をウインドシールドに投射する位置を調整することにより、運転者が見る虚像の表示位置を上下方向に調整可能としてもよい。なお、虚像として表示する内容は特に限定されず、例えば、車両情報やナビゲーション情報、図示しないカメラ映像（監視カメラやアラウンドビュアー等）で撮影した前方の風景の映像などを適宜表示することができる。
【００１４】
続いて、上述した映像表示装置３０について、図２を用いて以下に詳細に説明する。映像表示装置３０は、例えば、プラスチックなどにより形成された光源装置ケース１１の内部に、後にも詳述するＬＥＤ素子、コリメータ、合成拡散ブロック、導光体などを収納して構成されている。また、映像表示装置３０の上面には、液晶表示素子（ＬＣＤ）５０が取り付けられており、その一の側面には、半導体光源であるＬＥＤ（Light Emitting Diode）素子やその制御回路を実装したＬＥＤ基板１２が取り付けられている。更に、当該ＬＥＤ基板１２の外側面には、上記ＬＥＤ素子および制御回路で発生する熱を冷却するためのヒートシンク（放熱フィン）１３が取り付けられている。
【００１５】
また、上述した映像表示装置３０では、光源装置ケース１１の上面に取り付けられた液晶表示素子５０は、液晶表示パネルフレーム５１と、当該フレームに取り付けられた液晶表示パネル５２と、更に、当該パネルに電気的に接続されたＦＰＣ（フレキシブル配線基板）５３とから構成されている。
【００１６】
なお、以上の説明からも明らかなように、例えば、ＨＵＤ装置の場合には、車両のダッシュボードと言う狭小な空間内へ組み込まれるという事情から、ＨＵＤ装置１を構成する本発明の実施例に係る光源装置を含む映像表示装置３０に対しては、特に、モジュール化により小型でかつ高効率であり、好適に利用可能であることが好ましい。
【００１７】
図３には、上記映像表示装置３０の内部、即ち、光源装置のケース１１内に収納されている光学系の一例として、偏光機能を備えた光学系の構成を示す。即ち、本発明の実施例に係る光源を構成する複数（本例では、２個）のＬＥＤ１４ａ、１４ｂが、ＬＥＤコリメータ１５に対して所定の位置に取り付けられている。
【００１８】
なお、当該ＬＥＤコリメータ１５の光の出射側には、詳細は後述するが、ＬＥＤコリメータ１５の中心軸に対して、左右対称に配置された偏光ビームスプリッタ（Polarizing Beam Splitter）、位相板等の光学部材からなる偏光変換素子２１が設けられている。更に、当該偏光変換素子２１の出射側には、矩形状の合成拡散ブロック１６が設けられている。即ち、ＬＥＤ１４ａまたは１４ｂから射出された光は、ＬＥＤコリメータ１５の働きにより平行光となって偏光変換素子２１へ入射し、上記偏光変換素子２１により所望の偏光光に変換された後、合成拡散ブロック１６へ入射する。
【００１９】
更に、上記合成拡散ブロック１６の出射面側には、一例を示すと、上記図３にも示すように、第１の拡散板１８ａを介して、断面略三角形の導光体１７が設けられており、その上面には、第２の拡散板１８ｂが取り付けられている。これにより、上記ＬＥＤコリメータ１５の水平光は、当該導光体１７の働きにより図の上方に反射され、上記液晶表示素子５０の入射面に導かれる。なお、その際、上記第１および第２の拡散板１８ａ、１８ｂによって、その強度が均一化される。
【００２０】
続いて、上述した本発明の実施例に係る光源装置を構成する主要な部品について、その各部の詳細を含めて以下に説明する。
【００２１】
図４にも示すように、本発明の実施例に係る光源装置は、ＬＥＤ基板１２上に形成された、単数または複数の半導体発光素子であるＬＥＤ素子１４ａ、１４ｂと、当該素子の発光面に対向して配置されたＬＥＤコリメータ１５とから構成されている。なお、ＬＥＤコリメータ１５は、例えば、ポリカーボネート等の耐熱性が優れ、かつ透光性の樹脂により形成されており、図４にも示すように、ＬＥＤ基板１２上において、ＬＥＤ素子１４を中心としてその周囲を取り囲むように形成されている。より具体的には、ＬＥＤコリメータ１５は、略放物断面を回転して得られる円錐形状の外周面１５６を有すると共に、光の入射側であるその頂部には、所定の湾曲面を有する凹部１５３が形成されており、その略中央部にＬＥＤ素子１４ａ、１４ｂが配置される。なお、ＬＥＤコリメータ１５の円錐形状の外周面１５１を形成する放物面（リフレクター部）は、凹部１５３の湾曲面と共に、ＬＥＤ素子１４ａ、１４ｂから周辺方向に出射して凹部１５３内の空気を通って当該ＬＥＤコリメータの内部に入射する光が、当該放物面において全反射する角度の範囲内で入射するように設定されている。このように、放物面における全反射を利用することによれば、ＬＥＤコリメータの外周面に金属の反射膜を形成するなどの工程を必要としないことから、装置をより安価に製造することが可能となる。
【００２２】
また、ＬＥＤコリメータ１５の凹部１５３の中央部には、所定の湾曲面を有する入射面（レンズ面）１５７が形成されており、対向する面（出射面）１５４に形成された凸状部（レンズ面）１５８と共に、所謂、集光作用を有する凸レンズを形成している。なお、この凸状部１５８は、平面または内側に凹んだ凹状のレンズ面として形成してもよい。即ち、ＬＥＤコリメータ１５は、その円錐形状の外形の中央部には、ＬＥＤコリメータ１５からの発光を出射面側に集める集光レンズの機能を有すると共に、その外周面１５６（リフレクター部）においても、同様に、ＬＥＤ素子１４ａ、１４ｂから周辺方向に出射する光を集光して出射面側に導く機能を有している。
【００２３】
なお、上記のＬＥＤ基板１２は、図４にも示すように、ＬＥＤコリメータ１５に対して、その表面上のＬＥＤ素子１４ａ、１４ｂが、それぞれ、その凹部１５３の中央部に位置するように配置されて固定される。
【００２４】
かかる構成によれば、ＬＥＤ素子１４ａ、１４ｂから放射される光のうち、特に、その中央部分から出射光軸（図の右方向）に向かって放射される光は、上述したＬＥＤコリメータ１５により、図に矢印で示すように、ＬＥＤコリメータ１５の外形を形成する２つの凸レンズ面１５７、１５８により集光されて平行光となり、また、その他の部分から周辺方向に向かって放射される光は、ＬＥＤコリメータ１５の円錐形状の外周面（リフレクター部）１５６を形成する放物面によって反射され、同様に、集光されて平行光となる。換言すれば、その中央部に凸レンズを構成すると共に、その周辺部に放物面を形成したＬＥＤコリメータ１５によれば、ＬＥＤ素子１４ａ、１４ｂにより発生された光のほぼ全てを平行光として取り出すことが可能となり、発生した光の利用効率を向上することが可能となる。
【００２５】
また、本実施例では、当該ＬＥＤコリメータ１５の光の出射側には、偏光ビームスプリッタ、位相板等の光学部材からなる偏光変換素子２１が設けられており、これらの素子は、図からも明らかなように、ＬＥＤコリメータの中心軸（図の一点鎖線を参照）に対して、左右対称に配置されている。更に、偏光変換素子の出射側には、矩形状の合成拡散ブロック１６が設けられている。即ち、ＬＥＤ素子１４ａまたは１４ｂから射出された光は、ＬＥＤコリメータ１５の働きにより平行光となって合成拡散ブロック１６へ入射する。
【００２６】
このように、本構成によれば、図５の比較例との比較からも明らかなように、より薄型で、かつ、材料使用量の低減により低コスト化を実現し、光源装置の小型化を可能にする。偏光変換素子の薄型化は、ＰＢＳ膜で反射した光束と透過した光束の光路長差の増大を防止することから、光路長差による両者の光束形状の差が発生し難いため、特に、複数の光源およびＬＥＤコリメータを用いた系においては、光束形状の違いを要因とする輝度分布の不均一性の解消に有効である。
【００２７】
更に、図６は、上記映像表示装置３０の内部、即ち、光源装置のケース１１内に収納されている光学系の他の構成例を示す。即ち、本発明の実施例に係る光源を構成する複数（本例では、４個）のＬＥＤ素子１４ａ、ｂ、ｃ、ｄが、ＬＥＤコリメータ１５に対して所定の位置に取り付けられている。
【００２８】
なお、本実施例では、当該ＬＥＤコリメータ１５の光の出射側には、矩形状の合成拡散ブロック１６が設けられているが、上述した偏光変換素子２１は設けられておらず、そのため、ＬＥＤ素子１４ａ、ｂ、ｃ、ｄから射出された光は、偏光されずに、ＬＥＤコリメータ１５の働きにより平行光となって合成拡散ブロック１６へ入射する構成となっている。
【００２９】
更に、上記合成拡散ブロック１６の出射面側には、一例を示すと図６に示すように、第１の拡散板１８ａを介して、断面略三角形の導光体１７が設けられており、その上面には、第２の拡散板１８ｂが取り付けられている。これにより、上記ＬＥＤコリメータ１５の水平光は、当該導光体１７の働きにより図の上方に反射されて、上記液晶表示素子５０の入射面に導かれる。なお、その際、上記第１および第２の拡散板１８ａ、１８ｂによって、その強度が均一化されることは上述の例と同様である。
【００３０】
続いて、上記映像表示装置３０の他の構成要素である、合成拡散ブロック１６について、図７を参照しながら説明する。なお、図７（ａ）は、合成拡散ブロック１６の側面を示しており、図７（ｂ）は、上記合成拡散ブロック１６の一部を拡大した一部拡大断面を示している。
【００３１】
アクリル等の透光性の樹脂により形成された合成拡散ブロック１６では、図７（ａ）および（ｂ）からも明らかなように、その出射面には、多数の断面略三角形状のテクスチャー１６１がピッチＳで形成されており、当該テクスチャー１６１の働きにより、ＬＥＤコリメータ１５から出射する光が、以下に述べる導光体１７の導光体光入射部（面）１７１の鉛直方向において拡散される。そして、上記略三角形状のテクスチャー１６１と、以下に述べる拡散板１８ａ、１８ｂの相互作用により、ＬＥＤコリメータ１５が離散的に配置されていても、導光体１７の出射部１７３から出射する光の強度分布を均一化することが可能となる。また、ヘッドアップディプレイ装置において、運転者が見る虚像の表示位置は、前述したように、凹面ミラー１４１の角度を調整することが可能であるが、左右位置の調整機能は一般的に無く、かつ虚像の確認は両眼視が前提になるので、虚像が視認できるエリアは、上下方向に対して、左右方向が広いことが望まれる。上記のような構成を実現するためには、光源装置の配光角の虚像の左右方向に相当する方向を、その前後方向に比べて広くすることが有効である。本構成では、前記合成拡散ブロックのテクスチャー１６１で拡散され、配向角が広くなる方向を、虚像表示の左右方向とすることにより、虚像が認識できるエリアを左右方向に広くした。
【００３２】
特に、上述したテクスチャー１６１によれば、光の拡散方向を導光体側面方向に限定すること、更には、側面方向の拡散性の制御が可能となることから、上記第１および第２の拡散板１８ａ、１８ｂの等方拡散性を弱くすることが可能となり、その結果、光利用効率が向上し、特性の良い光源装置が実現できることとなる。なお、本例では、略三角形状のテクスチャー１６１の一例として、角度γ＝３０度、その形成ピッチＳ＝０．５ｍｍとした例を示す。
【００３３】
＜導光体＞
続いて、上記映像表示装置３０を構成する導光体１７の詳細について、以下に、図８を参照しながら説明する。なお、この導光体１７は、上述した光源装置から平行光として入射面から取り入れた光を内部で反射・屈折して所望の方向に導くと共に、所望の面積有する面状の光として取り出す機能を有する。
【００３４】
図８（ａ）は、当該導光体１７の全体を示す斜視図を、図８（ｂ）はその断面を、そして、図８（ｃ）および（ｄ）は、断面の詳細を示す一部拡大断面図である。
【００３５】
導光体１７は、例えば、アクリル等の透光性の樹脂により断面略三角形（図８（ｂ）参照）に形成された部材であり、そして、図８（ａ）からも明らかなように、上記合成拡散ブロック１６の出射面に第１の拡散板１８ａを介して対向する導光体光入射部（面）１７１と、斜面を形成する導光体光反射部（面）１７２と、第２の拡散板１８ｂを介して上記液晶表示素子５０の液晶表示パネル５２と対向する導光体光出射部（面）１７３とを備えている。
【００３６】
この導光体１７の導光体光反射部（面）１７２には、その一部拡大図である図８（ｃ）および（ｄ）に詳細に示すように、多数の反射面１７２ａと連接面１７２ｂとが交互に鋸歯状に形成されている。そして、反射面１７２ａ（図では右上がりの線分）は、図において一点鎖線で示す水平面に対してαｎ（ｎ：自然数であり、本例では、例えば、１〜１３０である）を形成しており、その一例として、ここでは、αｎを４３度以下（但し、０度以上）に設定している。
【００３７】
他方、連接面１７２ｂ（図では右下がりの線分）は、反射面に対してβｎ（ｎ：自然数であり、本例では、例えば、１〜１３０である）を形成している。即ち、反射部の連接面１７２ｂは、入射光に対して、後に述べる散乱体の半値角の範囲で影になる角度に傾斜されている。後にも詳述するが、α１、α２、α３、α４…は反射面仰角を形成し、β１、β２、β３、β４…は反射面と連接面との相対角度を形成しており、その一例として、９０度以上（但し、１８０度以下）に設定されている。なお、本例では、β１＝β２＝β３＝β４＝ …＝β２２＝…β１３０である。
【００３８】
図９および図１０には、説明のために、導光体１７に対して反射面１７２ａと連接面１７２ｂの大きさを相対的に拡大した模式図を示す。導光体１７の導光体光入射部（面）１７１では、主たる光線が、反射面１７２ａに対して入射角が大きくなる方向にδだけ偏向されている（図１０（ｂ）参照）。即ち、導光体光入射部（面）１７１は、光源側に傾斜した湾曲の凸形状に形成されている。これによれば、合成拡散ブロック１６の出射面からの平行光は、第１の拡散板１８ａを介して拡散されて入射し、図からも明らかなように、導光体光入射部（面）１７１により上方に僅かに屈曲（偏向）しながら導光体光反射部（面）１７２に達する（図１１の例と比較）。
【００３９】
なお、この導光体光反射部（面）１７２には、多数の反射面１７２ａと連接面１７２ｂとが交互に鋸歯状に形成されており、拡散光は、各々の反射面１７２ａ上で全反射されて上方に向かい、更には、導光体光出射部（面）１７３や第２の拡散板１８ｂを介して、平行な拡散光として液晶表示パネル５２へ入射する。そのため、反射面仰角α１、α２、α３、α４…は、各々の反射面１７２ａが前記拡散光に対して臨界角以上の角度となるように設定されており、他方、反射面１７２ａと連接面１７２ｂとの相対角度β１、β２、β３、β４…は、上述したように一定の角度、その理由は後にも述べるが、より好ましくは、９０度以上の角度（βn≧90°）に設定されている。
【００４０】
上述した構成により、各反射面１７２ａが前記拡散光に対して常に臨界角以上の角度となるような構成になっているので、導光体光反射部１７２に金属等の反射膜を形成しなくても、全反射が可能となり、低コストで、所望の方向に導くと共に、所望の面積有する面状の光として取り出す機能する、導光体を備えた光源装置を実現できる。一方、比較例となる図１１に示したように、導光体１７の導光体入射部で、主たる光線の屈曲（偏光）が無い場合は、拡散光の一部が反射面１７２ａに対して、臨界角以下になってしまい、十分な反射率が確保できないので、特性の良い（明るい）光源装置、即ち、映像表示装置が実現できない。
【００４１】
しかるに上述した導光体１７の導光体光反射部（面）１７２の形状によれば、主たる光の全反射条件を満たすことができ、導光体光反射部１７２にアルミ等の反射膜を設ける必要がなく、光を効率的に反射することが可能となり、製造コストの上昇を伴うアルミニウム薄膜の蒸着作業なども必要なく、より低コストで、明るい光源が実現できる。また、各相対角βは、連接面１７２ｂが、主たる光線Ｌ３０が合成拡散ブロック１６および拡散板１８ａで拡散した光に対して影になるような角度に設定した。これにより、連接面１７２ｂへの不要な光の入射を抑制することで、不要な光の反射を低減でき、特性が良好な光源装置を実現することが可能となる。
【００４２】
また、上述した導光体１７によれば、図９に示すように、連接面Ｌｃ１，Ｌｃ２，Ｌｃ３・・・・と反射面Ｌｒ１，Ｌｒ２，Ｌｒ３・・・・の長さおよび比率を適宜設定することにより、光軸方向における導光体光出射部（面）１７３の長さを自由に変更することができることから、導光体光入射部（面）１７１に対して、導光体光出射部（面）１７３の大きさ（面サイズ）を、上記液晶表示パネル５２などの装置に対して適合した、適宜、必要な大きさ（面サイズ）に変更可能な光源装置を実現することが可能となる。このことは、また、光源を構成するＬＥＤ素子１４ａ、１４ｂの配置形状に依存することなく、導光体光出射部（面）１７３を所望の形状にすることか可能となることを意味し、即ち、所望の形状の面状の発光源が得られることとなる。更には、光源を構成するＬＥＤ素子１４ａ、１４ｂの配置を含む設計における自由度の確保にもつながり、装置全体の小型化にも有利である。
【００４３】
図１２には、上記の変形例を示す。図からも明らかなように、この変形例では、導光体１７の導光体光入射部（面）１７１を、上述した湾曲面とは異なり、上記ＬＥＤコリメータ１５から出射する光に対して垂直な平面とすると共に、当該入射面には、入射する光を上方に僅かに屈曲（偏向）させるための断面垂直三角形状の補助の導光体１７ａを設けている。更に、図１３には、他の変形例として、導光体１７の導光体光入射部（面）１７１を垂直な平面とすると共に、上記ＬＥＤコリメータ１５を僅かに傾斜させ、もって、入射する光が上方に僅かに屈曲（偏向）させる構成が示されている。即ち、これらの変形例によっても、上記と同様の効果が得られる。
【００４４】
また、図１４にも示すように、導光体光反射部（面）１７２を構成する連接面１７２ｂを適宜設定する（この例では、その中央部の一部の反射面１７２ａでは光が反射しないようにする）ことによれば、導光体１７の導光体光出射部（面）１７３において、反射面１７２ａと連接面１７２ｂの比率Ｌr/Ｌcを場所によって大きく変更することも可能となる。これにより、図示の例では、導光体１７の導光体光出射部（面）１７３から出射される光は、光軸の方向において左右に分けられている様子が示される。かかる構成は、例えば、ＨＵＤ装置からの照明光をロス無く上下または左右に分離する場合等において好適であろう。また、前記比率Ｌr/Ｌcを適宜調整することにより、部分的に反射光を強くしまたは弱くすることも可能となる。
【００４５】
加えて、上述した導光体１７では、図１５にも示すように、その導光体光入射部（面）１７１と導光体光出射部（面）１７３の少なくとも一方に、それぞれ、以下に述べる機能性散乱面を付与（形成）することにより、上記図６にも示した拡散板１８ａ、１８ｂのいずれかあるいは両方を省略することも可能である。
【００４６】
この機能性散乱面は、空間周波数の高い成分（細かい成分）の面粗さを低減することにより、不要な発散構成分の低減を図るものである。図１６（ｂ）に通常の散乱面の面粗さ空間周波数成分を、図１６（ａ）により好まし散乱特性を有する散乱面の面粗さ空間周波数成分を示す。同図で実線は、図１５における導光体の入射面あるいは出射面の紙面に対して鉛直方向に測定した場合の面粗さ空間周波数成分を、波線は、図１５における導光体の入射面あるいは出射面の紙面に対して平行方向に測定した場合の面粗さ空間周波数成分を示す。
【００４７】
通常の散乱面の面粗さ空間周波数分布は、図１６（ｂ）に示すように、空間周波数の逆数(１／ｆ)に沿った分布を示す。それに対して、より好ましい面粗さの空間周波数分布は、図１６（ａ）で示すように、空間周波数１０／ｍｍ以下の低周波および１００／ｍｍ以上の高周波領域で、低い値となっており面粗さ空間周波数の低周波成分が少なく、中周波成分が適度にあるので、散乱むらが少ない光源が実現できる。また、面粗さ空間周波数の高周波成分が少ないので、散乱光の散乱角が大きくならず、不要構成分が減ることから、明るくかつ均一な輝度分布を有する光源が実現できる。このような特性を実現するためには、更に、前記機能性散乱面は、おり、特に１００／ｍｍ以上の高周波領域での空間周波数成分を１０ｎｍ以下にすると、可視光の範囲（波長４００ｎｍ以上）で、不要な散乱成分を発生を防止できることが、実験により確認された。それに対して通常の散乱面は、図１７（ｂ）に示すように、光源として利用可能な方向外にも光が散乱されるので、明るい光源を実現できない。
【００４８】
また、上記の範囲内で、図１６（ａ）に実線および波線で示すように、空間周波数の成分を調整することにより、散乱角を調整できる。ヘッドアップティスプレイ装置は、前述したように虚像が視認できるエリアは、上下方向に対して、左右方向が広いことが望まれるので、光源装置の配向角はそれに対応した方向が広くなるように、散乱角を調整した。具体的には、図１５で示した導光体の入射面および出射面の紙面に対して鉛直方向に測定した面粗さの空間周波数分布は、図１６（ａ）の実線で示す分布とし、それに直交する即ち紙面に沿った方向で測定した面粗さの空間周波数分布は、同図の波線で示すように、実線に対して、相対的に高周波成分が更に少ない分布とした。
【００４９】
上述した機能性散乱面を採用することによれば、導光体１７の入射面と出射面での光の入射・出射の制御自由度が増加することとなり、光源装置からの光の輝度むらを低減し、その下流側に配置される光学系の装置（本例では、一例として液晶表示素子５０）の特性に応じたきめ細かい制御が可能となり、更には、装置の低コスト化に有利であろう。
【００５０】
また、導光体１７の入射面は、図１５に示したように、導光体への入射光、出射光に対して平行となる面での断面において、中心部１７１ｃに対して、上端部１７１ａ、下端部１７１ｂの曲率を大きい形状とした。これは図１５に示したように比較的発光部のサイズが大きいＬＥＤ１４を用いる場合に有効である。即ちＬＥＤ１４の中央部から出射される光は、実線で示す光線Ｌ３０ｃ、Ｌ３０ａ、Ｌ３０ｂのようにＬＥＤコリメータ１５により平行光に変換されるが、ＬＥＤの上端、下端から出射した光は、一点波線で示す光線Ｌ３０ｄ，Ｌ３０ｅのように平行光ではなく拡散光になるので、その光を平行光に変換するためには、導光体入射面を１７１ａ、１７１ｂに示すように、中心部１７１ｃに対して曲率を大きくすることが必要となる。以上の構成を採用することにより、比較的サイズが大きいＬＥＤを用いた場合でも、特性の良い光源装置が実現できる。
【００５１】
また、上記でも述べたように、β１=β２=β３=β４…βn≧90°としたが、これは、図１８にも示すように、導光体１７を射出成形で作製するための金型４０の加工において、底面と側面の相対角度がβのエンドミルによって、反射面１７２ｂと連接面１７２ｂとが、同時に、加工できるためである。また、反射面１７２ａと連接面１７２ｂに対し、相対的に太い工具で加工が可能であることから、加工時間が大幅に短縮でき加工費の大幅な低減が可能となる。また、反射面１７２ａと連接面１７２ｂとの境界エッジが精度良く加工可能でき、導光体１７の導光特性の向上を図ることができる。
【００５２】
図１９は、上述した光源装置を適用した映像表示装置３０の他の例を示す映像表示装置３０の全体外観斜視図であり、この実施例では、詳細は示さないが、ＬＥＤ基板１２で発生した熱は伝熱プレート１３ｄを通じて装置下部に配置されたヒートシンク１３ｃで冷却する構造となっている。本構成によれば、全長の短い光源装置が実現される。
【００５３】
更に、以下には、上述した本発明の実施例に係る光源装置の更に他の実施例（実施例２）を示す。図２０は、上述した実施例と比較し、固体光源であるＬＥＤ素子１４の配置が３個×２列となった、より大きな液晶表示装置向けの光源装置を示している。この実施例２に係る光源装置では、導光体１７を射出成形で作成するときに、導光体光入射部（面）１７１が厚くなることにより、成形型内での冷却時間が増加し、成形タクトが長くなりコスト増になることを防止するため、当該導光体光入射部（面）１７１の一部（図の上部）を削除したものである。
【００５４】
また、図２１は、上記の実施例２の光源装置と同様、固体光源であるＬＥＤ素子１４の配置が３個×２列となったより大きな液晶表示装置向け光源装置を示しているが、この例では、導光体光入射部（面）１７１の一部を削除すると共に、導光体１７の先端部（図の右側部分）を厚くすることにより、成型時の冷却速度の均一化を図ることにより、より高精度な成形を可能としたものである。なお、この例では、導光体１７は、その先端部を厚くすることにより、主たる光線を、液晶パネル５５への入射角を所定の角度ηだけ傾けて入射するように構成されている。これは、一般的に、液晶表示パネルに入射する主たる光線の傾きは、垂直に近い方が望ましい。しかしながら、市販されている液晶パネルの中には、その特性によっては入射角を５〜１５°程度傾けた方がその特性が良い物があり、その特性に応じて液晶表示パネルへの入射光を角度η５°〜１５°だけ傾けて入射する。
【００５５】
更に、図２２は、上記図１５にも示した導光体１７の入射面または出射面に形成した上述したテクスチャー１７５の具体例を示す上面図である。この模式図では、その反射面（または出射面）と連接面の境界が直線状に配置・形成された一例を図２２（ａ）に、そして、図２２（ｂ）には、例えば、光源であるＬＥＤ素子１４ａ、１４ｂが互いに離隔されて分散されて配置されている等、その必要性に応じて、曲線状に配置・形成された他の例をそれぞれ示している。
【００５６】
＜光源装置の他の構成例＞
以上には、本発明の実施例に係る光源装置を、特に、ヘッドアップディスプレイ（ＨＵＤ）装置１に適用した光源装置の例を示したが、以下には、当該光源装置の更に他の構成を含めた例について示す。
【００５７】
図２３には、上述したＬＥＤ素子１４ａ、１４ｂや導光体１７等を含む光源装置を、複数個（本例では、２個）、その導光体光出射部（面）１７３が同一面内となるように組み合わせ、より大型の液晶表示パネル５２に対応した例を示している。なお、かかる組み合わせ構造によれば、更に、より多くの種類の面サイズと光量の導光体光出射部（面）１７３を備えた映像表示装置を実現することが可能となる。
【００５８】
図２４は、更に、複数（本例では、２個）の導光体光入射部（面）１７１ａ、１７１ｂを備えた導光体１７’から構成された光源装置を示しており、図からも明らかなように、当該導光体１７’の両側側面には、ＬＥＤ素子１４ａ、１４ｂやコリメータ１５等から構成される光源からの光を入射する導光体光入射部（面）１７１ａ、１７１ｂが形成されており、当該導光体光入射部（面）１７１ａ、１７１ｂから入射した平行な光は屈折して、本例では導光体１７’の底部に形成された導光体光反射部１７２に導かれる。この導光体光反射部１７２に表面には、断面が波状の凹凸が形成されており、更に、光を反射する反射膜(アルミ膜）が形成されている。これによれば、導光体光入射部（面）１７１ａ、１７１ｂから入射した平行光は、かかる導光体光反射部１７２により図に矢印で示すように、当該導光体光反射部１７２で反射されて導光体１７’の上方に向かい、その導光体光出射部（面）１７３から、例えば、上記の液晶表示パネル５２などの装置に向けて出射される。
【００５９】
かかる構成の光源装置によれば、光を照射する液晶表示装置が大型化しても、比較的容易に対応して、即ち、その出射面を大型化した光源装置を実現することが可能となる。なお、上記からも明らかなように、比較的薄い導光体１７’により光源装置が実現できるので、装置のより薄型化が可能となる。また、導光体１７’の厚みがほぼ均一であり、その成形性は良好である。
【００６０】
また、その導光体光入射部（面）１７１ａ、１７１ｂから入射した光をその内部において反射・屈折して、その導光体光出射部（面）１７３から外部装置（本例では、後段の光学装置である液晶表示パネル）に出射する導光体１７’では、光入射面の面積ＳＩＮは、一般的に、光出射面の面積ＳＯＵＴよりも大きく（ＳＩＮ＞ＳＯＵＴ）設定され、更に、導光体１７’の形状は、発光素子であるＬＥＤの大きさや形状に適合した形状に形成することが可能であろう。
【００６１】
更に、図２５にも示すように、合成拡散ブロック１６後方に配置される導光体１７”を偏光変換素子２１’によって構成することも可能である。なお、この構成では、図からも明らかなように、偏光変換素子２１’を構成する三角形柱の透光性部材２１１’と平行四辺形柱の透光性部材２１２’とを組み合わせ、それらの境界面には、ＬＥＤ素子１４ａから出射してＬＥＤコリメータ１５で平行光となった入射光のＳ偏光波（図中の記号（×）を参照）を反射するが、他方、Ｐ偏光（図中の上下の矢印を参照）を透過するＰＢＳ膜２１１が形成されると共に、平行四辺形柱の透光性部材２１２’の上面には、１／２λ位相板２１３が、そして、その側面には、反射膜２１２がそれぞれ形成されている。
【００６２】
上述した構成によれば、図からも明らかなように、ＬＥＤ素子１４ａから出射してＬＥＤコリメータ１５で平行光となった入射光は、導光体１７”を構成する偏光変換素子２１’の働きによりＳ偏光に偏光されて、当該素子の上面から上方に向かって出射されることとなる。即ち、上記した構成では、特に、導光体１７”を偏光変換素子２１’によって構成することにより、装置の大幅な小型化や装置の製造コストの大幅な低減を実現することが可能となる。
【００６３】
なお、上記の説明では、本発明の実施例に係る光源装置を、主に、ＨＵＤ装置１の映像表示装置３０に適用した例について述べたが、しかしながら、本発明の実施例に係る光源装置はそれのみに限定されず、例えば、車両用のヘッドライト装置を含む光源を構成する光源装置として適用することも可能であろう。
【００６４】
以上の詳細な説明からも明らかなように、本発明の実施例に係る光源装置によれば、光源を構成するＬＥＤの配置形状に依存することなく、その出射光を集光してその強度を均一化して所望の方向に導くと共に、液晶表示装置などの出力側の装置に対しては、その光入射面に対応して、所望の形状・面積を有する面状の光として出射する機能を有していることから、光源装置を含む映像表示装置の設計における自由度を大きく確保することが可能となり、かつ、装置全体のモジュール化や小型化に加え、発光光を効率高く利用することができることから、低消費電力でかつ環境保護にも優れた装置が提供されることからも有利であろう。
【００６５】
以上、本発明の種々の実施例に係る光源装置について述べた。しかしながら、本発明は、上述した実施例のみに限定されるものではなく、様々な変形例が含まれる。例えば、上記した実施例は本発明を分かりやすく説明するためにシステム全体を詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００６６】
１…ヘッドアップディスプレイ（ＨＵＤ）装置、３０…映像表示装置、１４１…凹面ミラー、５０…液晶表示素子、５２…液晶表示パネル、１２…ＬＥＤ基板、１３…ヒートシンク（放熱フィン）、１４、１４ａ…１４ｄ…ＬＥＤ素子、１５…ＬＥＤコリメータ、１５６…外周面（リフレクター部）、１５３…入射部（凹部）、１５７…入射面（レンズ面）、１５４…出射面、１５８…出射側のレンズ面、１６…合成拡散ブロック、１６ｂ…配向制御板、１７…導光体、１７１…導光体光入射部（面）、１７２…導光体光反射部（面）、１７２ａ…反射面、１７２ｂ…連接面、１７３…導光体光出射部（面）、１８ａ、１８ｂ…拡散板、２１…偏光変換素子、２１１…ＰＢＳ膜、２１２…反射膜、２１３…１／２λ位相板。
【図１】
2018060006.tif 000003
【図２】
2018060006.tif 000004
【図３】
2018060006.tif 000005
【図４】
2018060006.tif 000006
【図５】
2018060006.tif 000007
【図６】
2018060006.tif 000008
【図７】
2018060006.tif 000009
【図８】
2018060006.tif 000010
【図９】
2018060006.tif 000011
【図１０】
2018060006.tif 000012
【図１１】
2018060006.tif 000013
【図１２】
2018060006.tif 000014
【図１３】
2018060006.tif 000015
【図１４】
2018060006.tif 000016
【図１５】
2018060006.tif 000017
【図１６】
2018060006.tif 000018
【図１７】
2018060006.tif 000019
【図１８】
2018060006.tif 000020
【図１９】
2018060006.tif 000021
【図２０】
2018060006.tif 000022
【図２１】
2018060006.tif 000023
【図２２】
2018060006.tif 000024
【図２３】
2018060006.tif 000025
【図２４】
2018060006.tif 000026
【図２５】
2018060006.tif 000027